(57)【特許請求の範囲】
【請求項１】
表側に向く外側凸部と裏側に向く内側凹部とが形成された光透過性の操作部材と、前記操作部材が押圧されたときに動作するスイッチ機能部と、を備えた操作装置において、
前記外側凸部は、表示面を構成する正面部と、前記正面部を囲む複数の外側斜面部とを有し、前記内側凹部は、前記正面部に対向する裏面部と、前記裏面部を囲み、前記各外側斜面部に対向する複数の内側斜面部とを有しており、
前記外側斜面部と前記内側斜面部は、前記操作部材の押圧方向に延びる中心線から離れるにしたがって裏側へ後退する向きに傾斜し、
隣り合う２つの前記内側斜面部を第１内側斜面部と第２内側斜面部とし、前記第１内側斜面部と対向する前記外側斜面部を第１外側斜面部とし、前記第２内側斜面部と対向する前記外側斜面部を第２外側斜面部としたときに、
前記第１外側斜面部を透過した光の一部が前記第２内側斜面部で全反射し、前記第２外側斜面部を透過した光の一部が前記第１内側斜面部で全反射することを特徴とする操作装置。
【請求項２】
前記第１外側斜面部と前記第２外側斜面部との境界部を角部領域としたときに、
前記角部領域で、前記第１外側斜面部を透過した光の一部が前記第２内側斜面部で全反射し、前記第２外側斜面部を透過した光の一部が前記第１内側斜面部で全反射する請求項１記載の操作装置。
【請求項３】
前記中心線の垂直面と前記各内側斜面部とが成す角度が、臨界角以上である請求項１または２記載の操作装置。
【請求項４】
前記角部領域と前記角部領域との間の中間領域では、
前記第１外側斜面部を透過する光が、前記第１内側斜面部を透過し、前記第２外側斜面部を透過する光が前記第２内側斜面部を透過する請求項２記載の操作装置。
【請求項５】
前記操作部材の裏側に配置された光拡散層と、前記光拡散層に光を与える光源とを有しており、
前記中間領域では、前記第１外側斜面部と前記第１内側斜面部とを透して前記光拡散層が透視可能であり、前記第２外側斜面部と前記第２内側斜面部とを透して前記光拡散層が透視可能である請求項４記載の操作装置。
【請求項６】
前記裏面部と前記各内側斜面部との境界は、前記正面部と前記各外側斜面部との境界よりも、前記中心線に近い位置にある請求項１ないし５のいずれかに記載の操作装置。
【請求項７】
前記中心線の垂直面と前記各内側斜面部とが成す角度（θ２）は、前記垂直面と前記各外側斜面部とが成す角度（θ１）よりも小さい請求項１ないし６のいずれかに記載の操作装置。
【発明の詳細な説明】
【技術分野】
【０００１】
本発明は、車載用電子機器や家電用の各種電子機器の操作パネルに設けられる操作装置に関する。
【背景技術】
【０００２】
特許文献１には、ランプやＬＥＤ等の照光部を内部に備え、エッジ部を光らせることでボタンに表示された文字を見やすくする押ボタンが記載されている。この押ボタンは、透明樹脂体からなる操作部材を備える。操作部材には、文字等を表示する表示面の周りにエッジ部を構成する傾斜面が形成され、表示面の裏面には、文字板が貼り付けられている。エッジ部の裏側には、段差面が形成されており、エッジ部から入射した外部からの光が各段差面で反射して光って見えるようになっている。
【先行技術文献】
【特許文献】
【０００３】
【特許文献１】実開昭６０−８８４２１号公報
【発明の概要】
【発明が解決しようとする課題】
【０００４】
特許文献１に記載された操作部材は、表示面を囲むエッジ部が、角部領域であっても、角部領域どうしの間の中間部であっても同じような状態で照明されるため、操作部材の外観に特徴がなく、高級感に乏しい課題がある。
【０００５】
本発明は、上記従来の課題を解決するものであり、操作部材の外側傾斜面の角部領域において、外側斜面部を透過した光を内側斜面部で全反射できるようにして、角部領域がクリスタルのように輝く外観を呈するようになり、操作部材が特徴的な外観を呈し、外観に高級感を与えることが可能な操作装置を提供することを目的としている。
【０００６】
また、本発明は、前記角部領域と角部領域との中間領域では、表示部材の周囲に形成された外側斜面部を透して裏側に配置された光拡散層を透視できるようにして、操作部材の周囲を照明で浮き出させることができる操作装置を提供することを目的としている。
【課題を解決するための手段】
【０００７】
本発明は、表側に向く外側凸部と裏側に向く内側凹部とが形成された光透過性の操作部材と、前記操作部材が押圧されたときに動作するスイッチ機能部と、を備えた操作装置において、
前記外側凸部は、表示面を構成する正面部と、前記正面部を囲む複数の外側斜面部とを有し、前記内側凹部は、前記正面部に対向する裏面部と、前記裏面部を囲み、前記各外側斜面部に対向する複数の内側斜面部とを有しており、
前記外側斜面部と前記内側斜面部は、前記操作部材の押圧方向に延びる中心線から離れるにしたがって裏側へ後退する向きに傾斜し、
隣り合う２つの前記内側斜面部を第１内側斜面部と第２内側斜面部とし、前記第１内側斜面部と対向する前記外側斜面部を第１外側斜面部とし、前記第２内側斜面部と対向する前記外側斜面部を第２外側斜面部としたときに、
前記第１外側斜面部を透過した光の一部が前記第２内側斜面部で全反射し、前記第２外側斜面部を透過した光の一部が前記第１内側斜面部で全反射することを特徴とするものである。
【０００８】
本発明の操作装置は、前記第１外側斜面部と前記第２外側斜面部との境界部を角部領域としたときに、前記角部領域で、前記第１外側斜面部を透過した光の一部が前記第２内側斜面部で全反射し、前記第２外側斜面部を透過した光の一部が前記第１内側斜面部で全反射するものである。
【０００９】
そのためには、前記中心線の垂直面と前記各内側斜面部とが成す角度が、臨界角以上であることが好ましい。
【００１０】
上記構成の操作装置では、外側斜面部の角部領域で、内側斜面部での全反射により鏡面のように煌めいて見える。これにより、表示板の周囲のエッジ部の特に角部領域で、クリスタル感のある照明効果を実現できるようになり、高級感を高め、見栄えを向上させることができる。
【００１１】
また、本発明の操作装置は、前記角部領域と前記角部領域との間の中間領域では、前記第１外側斜面部を透過する光が、前記第１内側斜面部を透過し、前記第２外側斜面部を透過する光が前記第２内側斜面部を透過するものとして構成できる。
【００１２】
そのため、本発明の操作装置は、前記操作部材の裏側に配置された光拡散層と、前記光拡散層に光を与える光源とを有しており、
前記中間領域では、前記第１外側斜面部と前記第１内側斜面部とを透して前記光拡散層が透視可能であり、前記第２外側斜面部と前記第２内側斜面部とを透して前記光拡散層が透視可能であることが好ましい。
【００１３】
上記構成では、中間領域において、外側斜面部から入り込んだ光が、外側斜面部に対向する内側斜面部を全反射せずに透過しやすくなる。これにより、表示面を囲む外側斜面部の中間領域を透視して光拡散層を見ることができる範囲を広げることができる。
【００１４】
上記のそれぞれの外観的特徴を呈するためには、前記裏面部と前記各内側斜面部との境界は、前記正面部と前記各外側斜面部との境界よりも、前記中心線に近い位置にあることが好ましい。
【００１５】
、また、前記中心線の垂直面と前記各内側斜面部とが成す角度（θ２）は、前記垂直面と前記各外側斜面部とが成す角度（θ１）よりも小さいことが好ましい。
【発明の効果】
【００１６】
本発明の操作装置では、外側斜面部の角部領域で、内側斜面部での全反射により鏡面のように煌めいて見える。これにより、表示板の周囲のエッジ部の特に角部領域で、クリスタル感のある照明効果を実現できるようになり、高級感を高め、見栄えを向上させることができる。
【００１７】
また、外側斜面部のうちの角部領域と角部領域との間の中間領域では、外側斜面部から入り込んだ光が、外側斜面部に対向する内側斜面部を全反射せずに透過しやすくなる。これにより、表示面を囲む外側斜面部の中間領域を透視して光拡散層を見ることができる範囲を広げることができる。
【図面の簡単な説明】
【００１８】
【図１】本発明の実施の形態に係る操作装置の外観斜視図である。
【図２】図２に示す操作装置の分解斜視図である。
【図３】図１に示す操作装置をＩＩＩ−ＩＩＩ線で切断した縦断面図である。
【図４】操作部材の構成を説明するための図であって、（ａ）は（ｂ）のＩＶ−ＩＶ線の縦断面図、（ｂ）は正面図である。
【図５】図４（ｂ）に示す左上の角部であるＶ指示部分を拡大した平面図であり、外部からの光が入射する外側斜面部（エッジ部）の部位と内側斜面部との関係を示す説明図である。
【図６】図４（ｂ）に示す操作装置をＶＩ−ＶＩ線で切断した断面斜視図である。
【図７】図６に示す操作装置をＶＩＩ−ＶＩＩ線で切断した一部断面図である。
【図８】図６と図７に示す操作装置の角部をＶＩＩＩ矢視方向から見た拡大平面図である。
【図９】本発明の実施の形態に係る操作装置において、外側斜面部が光る様子を模式的に示す説明図である。
【発明を実施するための形態】
【００１９】
図１は本発明の実施の形態に係る操作装置１０の構成を示す外観斜視図であり、図２は操作装置１０の分解斜視図であり、図３は操作装置１０のＩＩＩ−ＩＩＩ線の縦断面図である。
【００２０】
図１に示す操作装置１０は、各種車両の車室内に装備される各種操作装置、車載用電子機器の操作装置、家庭用電子機器の操作装置、さらには産業用機器の操作装置などとして使用される。操作装置１０はＺ１側が表側であり、Ｚ２側が裏側である。
【００２１】
図１と図２に示すように、操作装置１０は、操作部材２０と光拡散層を兼ねる支持部材３０とが一体に動作できるように組み合わされている。操作部材２０と支持部材３０は、ケース１１の内部に動作自在に収納されている。ケース１１は光が透過しない構造であり、ケース１１は例えば車載用電子機器の表面パネルの一部である。
【００２２】
ケース１１の裏側（Ｚ２側）には、基板４０が固定されており、基板４０に、光拡散層に光を与える光源４１とスイッチ機能部４２とが固定されている。
【００２３】
操作部材２０に押圧力Ｆが作用すると、操作部材２０と支持部材３０は延出部３３ａと基板４０との当接部を支点として図２において時計方向へ回動するように動作する。図１と図３および図４（ａ）では、操作部材２０に対する押圧力Ｆの作用方向に延びる中心線Ｏが示されている。中心線Ｏは、操作部材２０の正面部２２ａの図心を通過する基板４０の垂線である。正面部２２ａは中心線Ｏと垂直な面であり、あるいは中心線Ｏの垂直面に対して傾斜した面である。
【００２４】
図４（ｂ）に示すように、操作部材２０は、ＸＹ平面視において矩形状であり、正面２０ａから裏面２０ｂにかけてＺ方向に厚みを有し、４つの側面２０ｃに囲まれた形状である。操作部材２０の正面２０ａには、外側（Ｚ方向負側）に突出する外側凸部２２が形成されている。外側凸部２２は、表示面を構成する正面部２２ａと、正面部２２ａの４辺を囲む外側斜面部２２ｂとを有している。４つの外側斜面部２２ｂはそれぞれ、正面部２２ａの４つの辺と、４つの側面２０ｃとを連結する。図３に示すように、外側斜面部２２ｂはそれぞれ、中心線Ｏの垂直面（ＸＹ平面）に対して所定の角度θ１（例えば６０度）で傾斜している。外側斜面部２２ｂは、中心線Ｏから遠ざかるにしたがって裏側（Ｚ２側）へ後退する向きに傾斜している。
【００２５】
正面部２２ａには凹部２１が形成されており、表示面を構成する表示板２３が凹部２１に嵌め込まれて接着されている。表示板２３は、透明な樹脂フィルムの表側（Ｚ１側）の面に、白色の中間印刷層と黒色や濃緑色などの表面印刷層が重ねて形成されており、表面印刷層の一部が除去されて図形や文字または記号が表現されている。図１の例では、音符の図形が表現されている。操作部材２０の正面部２２ａのうち、表面印刷層で覆われている部分は光が透過せず、支持部材３０が発光したときに、その光によって音符の図形の領域で中間印刷層の白色が明るく照明される。
【００２６】
操作部材２０は、支持部材３０の正面３０ａに形成された凹部３１に挿入され、操作部材２０の裏面２０ｂに形成されたフランジ部２４が凹部３１内に嵌合する。
【００２７】
図２に示すように、操作部材２０の１つの側部に係合穴３２ａが形成され、他の側部に係合穴３２ｂ、３２ｂが形成されている。係合穴３２ａには、操作部材２０のフランジ部２４に形成された係合突起２４ａが嵌合し、各係合穴３２ｂ、３２ｂには、操作部材２０のフランジ部２４の左右両側部に形成された係合爪２４ｂ、２４ｂがそれぞれ嵌合する。操作部材２０が支持部材３０に押し込まれることによって、係合爪２４ｂ、２４ｂが係合穴３２ｂ、３２ｂに挿入されて嵌合し、操作部材２０と支持部材３０とが一体に動作できるように組み合わされる。
【００２８】
図３に示すように、操作部材２０は外側凸部２２が、ケース１１に形成された操作穴１１ａから表側（Ｚ１側）へ突出し、支持部材３０は光を透過しないケース１１で覆われて、表側からは主に外側凸部２２のみが目視できるようになっている。
【００２９】
支持部材３０は、光拡散層として機能する。支持部材３０は、内部で光を乱反射して全体が白く光るように、白色の顔料を含有する樹脂で形成されている。または、支持部材３０は、光透過性樹脂に透光性で白色のシートが貼り付けられたものであってもよいし、光透過性の樹脂の表面が面粗れ加工されたものであってもよい。基板４０に設けられた光源４１から支持部材３０に光が与えられると、支持部材３０の全体が白く光る。光源４１は、発光ダイオードやランプなどで構成される。図３では、光源４１が支持部材３０に裏側から対向しているが、光源４１が支持部材３０にＸ方向やＹ方向から対向していてもよい。
【００３０】
図３に示すように、支持部材３０の裏面３０ｂに、基板４０側に延出する延出部３３ａ、３３ｂが形成されている。図示上側の延出部３３ａの方が、図示下側の延出部３３ｂよりも長く、上側の延出部３３ａが基板４０と当接している。
【００３１】
基板４０には、スイッチ機能部４２が取り付けられている。スイッチ機能部４２は、薄型のメンブレンスイッチ、あるいは機構式のスイッチ、圧電素子で形成された圧電スイッチなどである。あるいは押圧力で抵抗値が変化する可変抵抗器などであってもよい。支持部材３０の裏面３０ｂには、スイッチ機能部４２を押圧する押圧突起３６が一体に形成されている。また、基板４０と支持部材３０との間に復帰ばねが介在して、支持部材３０がＺ１方向へ押されており、押圧力Ｆが作用していないときには、操作部材２０の外側凸部２２がケース１１から表側へ突出している。
【００３２】
図３に示すように、操作部材２０に押圧力Ｆが与えられると、支持部材３０は延出部３３ａと基板４０との当接部が支点となって時計方向へ回動するように動作し、押圧突起３６でスイッチ機能部４２が押圧されて、スイッチ機能部４２が動作させられる。
【００３３】
なお、押圧力Ｆが作用したときに、操作部材２０と支持部材３０とが一体となって、回動動作ではなく、Ｚ２方向へ進退動作するものであってもよい。
【００３４】
夜間の使用時などでは、操作装置１０の光源４１が点灯し、光源４１からの光で支持部材３０が白色に発光する。その結果、操作部材２０は、表示板２３の周囲の４辺を囲むエッジ部に相当する外側斜面部２２ｂが、角部では煌めき、その他の部分は白く光ることによってクリスタル感のある照明効果を実現でき、高級感を高め、見栄えを向上させることが可能となっている。
このような照明効果を実現するための操作部材２０の構造を以下で詳しく説明する。
【００３５】
図４に示すように、操作部材２０の裏面２０ｂには、正面２０ａに向けて掘り下げられた内側凹部２６が形成されている。内側凹部２６は、外側凸部２２の正面部２２ａに対向する裏面部２６ａと、裏面部２６ａの４辺を囲み、各外側斜面部２２ｂに対向する複数の内側斜面部２６ｂとを有している。裏面部２６ａが矩形であり、内側斜面部２６ｂは４か所に形成されている。４つの内側斜面部２６ｂはそれぞれ、裏面部２６ａの４つの辺に連結する。図４に示すように、内側斜面部２６ｂはそれぞれ、中心線Ｏの垂直面（ＸＹ平面）に対して所定の角度θ２（例えば４５度）で傾斜している。内側斜面部２６ｂは、中心線Ｏから遠ざかるにしたがって裏側（Ｚ２側）へ後退する向きに傾斜している。
【００３６】
そして、図４（ｂ）に示すように、内側凹部２６における裏面部２６ａと各内側斜面部２６ｂとの内側境界線５２（図４の構成では裏面部２６ａの外形に相当する）は、外側凸部２２の正面部２２ａと各外側斜面部２２ｂとの外側境界線５１（図４の構成では正面部２２ａの外形に相当する）よりも内側に位置している。すなわち内側境界線５２は外側境界線５１よりも中心線Ｏに近い位置にある。
【００３７】
以下、図５ないし図８を参照して操作部材２０を透過する光路について説明する。
図５ないし図８では、外側斜面部２２ｂのうち、操作部材２０の角部で交差して隣り合うものを、第１外側斜面部２２ｂ１と第２外側斜面部２２ｂ２とする。図５に示すように、第１外側斜面部２２ｂ１と第２外側斜面部２２ｂ２の境界を外側角部２２ｃ１とする。また、内側斜面部２６ｂのうち、第１外側斜面部２２ｂ１と対向するものを第１内側斜面部２６ｂ１とし、第２外側斜面部２２ｂ２と対向するものを第２内側斜面部２６ｂ２とする。第１内側斜面部２６ｂ１と第２内側斜面部２６ｂ２は、互いに交差して隣り合っている。
【００３８】
図５に示すように、第１外側斜面部２２ｂ１のうち、Ｘ方向の左右両側に位置する内側境界線５２と内側境界線５２との間で第１内側斜面部２６ｂ１に対向する領域であって外側角部２２ｃ１からやや離れた領域を中間領域Ｗ１とし、第１外側斜面部２２ｂのうちの内側境界線５２から操作部材２０の図示左側の側面２０ｃまでの領域であって外側角部２２ｃ１を含む領域を角部領域Ｗ２とする。第２の外側斜面部２２ｂ２も、Ｙ方向の上下に位置する内側境界線５２と内側境界線５２との間で第２内側斜面部２６ｂ２に対向する領域であって外側角部２２ｃ１からやや離れた領域を中間領域Ｗ１とし、内側境界線５２と図示上側の側面２０ｃとの間の領域であって外側角部２２ｃ１を含む領域を角部領域Ｗ２とする。角部領域Ｗ２は、操作部材２０の４か所の角部にそれぞれ形成されている。
【００３９】
図５ないし図８では、操作部材２０の表側から裏側へ向かう光路（Ａ）（Ｂ）が矢印を有する実線または破線で示されている。この光路（Ａ）（Ｂ）は、表側から操作部材２０を目視したときの視線を意味している。なお、操作部材２０の内部の屈折率は、操作部材２０の外側の空気の屈折率よりも大きい。
【００４０】
＜中間領域Ｗ１での照明効果＞
図５ないし図８に示す光路（Ａ）は、四角形の操作部材２０の４つの角部以外の中間領域Ｗ１で、外側斜面部２２ｂを目視した視線を意味している。
【００４１】
図５に示すように、中間領域Ｗ１では、Ｙ方向において、第１外側斜面部２２ｂ１に第１内側斜面部２６ｂ１が必ず対向している。また、Ｘ方向においても、第２外側斜面部２２ｂ２に第２内側斜面部２６ｂ２が必ず対向している。
【００４２】
したがって、第１外側斜面部２２ｂ１の中間領域Ｗ１に入る光路（Ａ）は、入射点Ａ１で空気層から操作部材２０の内部に入り、第１内側斜面部２６ｂ１に位置する出射点Ａ２から操作部材２０の裏側の空気層に出る。同様に、第２外側斜面部２２ｂ２の中間領域Ｗ１に入る光路（Ａ）は、入射点Ａ１で空気層から操作部材２０の内部に入り、第２内側斜面部２６ｂ２に位置する出射点Ａ２から操作部材２０の裏側の空気層に出る。
【００４３】
図７には、第１外側斜面部２２ｂ１に入る光路（Ａ）が示されている。第１内側斜面部２６ｂ１の傾斜角度θ２は、第１外側斜面部２２ｂ１の傾斜角度θ１よりも小さいため、操作部材２０の内部を通過する光路（Ａ）の出射点Ａ２に対する入射角Φ１が臨界角よりも大きくなる確率が低くなり、光路（Ａ）は、第１外側斜面部２６ｂ１を通過して裏側の空気層に進行しやすくなる。そのため、中間領域Ｗ１において第１外側斜面部２２ｂ１を目視したときに、第１の外側斜面部２２ｂ１と第１内側斜面部２６ｂ１を透視して、裏側の支持部材３０の光拡散層を目視できることになる。よって、中間領域Ｗ１を目視したときに、第１外側斜面部２２ｂ１が光拡散層で白色に照明されることになる。これは、第２外側斜面部２２ｂ２の中間領域Ｗ１においても同じである。
【００４４】
図７に示すように、内側境界線５２は、外側境界線５１よりも中心線Ｏに近い位置にあり、第１内側斜面部２６ｂ１の幅寸法が、第１外側斜面部２２ｂ１の幅寸法よりも十分に大きくなっている。そのため、第１外側斜面部２２ｂ１に対して光路（Ａ）がＹ方向に対して浅い角度で入射したとしても、光路（Ａ）が、第１内側斜面部２６ｂ１に当たる確率が高くなり、光路（Ａ）の出射点Ａ２が内側凹部２６の裏面部２６ａに設定される確率が低くなる。
【００４５】
光路（Ａ）が裏面部２６ａに当たると、出射点Ａ２において操作部材２０の内部から裏側の空気層に向かう入射角Φ１が臨界角を超えやすくなり、光路（Ａ）に沿って表側から第１外側斜面部２２ｂ１を目視したときに、裏面部２６ａが鏡面に見え、表示板２３の接合面が鏡面に反射されて目視されることになる。しかし、この実施の形態では、図７に示すように、出射点Ａ２が第１内側斜面部２６ｂ１に設定されやすく、裏面部２６ａに設定されにくいため、第１外側斜面部２２ｂ１を透して表示板２３の接合面が目視される確率を低くできる。
【００４６】
そのため、第１外側斜面部２２ｂ１と第２外側斜面部２２ｂ２の中間部領域Ｗ１では、裏側の光拡散層の照明を表側から目視でき、常に白色などに発光した状態で目視できるようになる。
【００４７】
＜角部領域Ｗ２での照明効果＞
図８に示すように、内側凹部２６における裏面部２６ａと各内側斜面部２６ｂとの内側境界線５２は、外側凸部２２の正面部２２ａと各外側斜面部２２ｂとの外側境界線５１よりも内側に位置している。すなわち内側境界線５２は外側境界線５１よりも中心線Ｏに近い位置にある。
【００４８】
そのため、図５に示すように、第１外側斜面部２２ｂ１の角部領域Ｗ２に入射する光路（Ｂ）は、その入射角度によっては、第１内側斜面部２６ｂ１に当たらずに、第２内側斜面部２６ｂ２に当たるようになる。
【００４９】
例えば、図５において、第１外側斜面部２２ｂ１の角部領域Ｗ２に対して光路（Ｂ）がＺ方向から垂直（図５の紙面に垂直）に入射したときは、この光路（Ｂ）は入射点Ｂ１から操作部材２０の内部に入ったときに、その真下に位置する第１内側斜面部２６ｂ１に当たりやすくなる。この場合の照明効果は、中間領域Ｗ１と同じである。
【００５０】
これに対し、図５に示すように、光路（Ｂ）がＹ軸に対して鋭角となるようにＺ軸から倒れた向きで第１外側斜面部２２ｂ１の角部領域Ｗ２に入ると、入射点Ｂ１から操作部材２０の内部に入った後に、光路（Ｂ）が第１内側斜面部２６ｂ１に当たらずに、これに隣接している第２内側斜面部２６ｂ２に当たりやすくなる。
【００５１】
図８にも、角部領域Ｗ２において、第１外側斜面部２２ｂ１の入射点Ｂ２から操作部材２０の内部に入った光路（Ｂ）が、隣の第２内側斜面部２６ｂ２に当たる状態が示されている。図８に示す光路（Ｂ）は、Ｘ軸に対しては垂直であるが、Ｙ軸との角度が鋭角となるように、Ｚ軸に対して斜めに倒れて入射している。
【００５２】
図８に示す光路（Ｂ）が、操作部材２０の内部から第２内側斜面部２６ｂ２に入射すると、その入射角は臨界角を超えやすくなり、表側から第１外側傾斜部２２ｂの角部領域Ｗ２を目視すると、その奥に位置する第２内側斜面部２６ｂ２が鏡面となって全反射し、クリスタル状に輝いて見えるようになる。
【００５３】
特に、第２内側斜面部２６ｂ２の傾斜角度θ２が臨界角よりも大きくなると、図８に示す平面に投影したときの、光路（Ｂ）の第２内側斜面部２６ｂ２に対する入射角Φ２が臨界角を超えるようになり、表側から第１外側傾斜部２２ｂの角部領域Ｗ２を目視すると、その奥に位置する第２内側斜面部２６ｂ２が鏡面となって全反射するようになる。
【００５４】
これらの現象は、第２外側斜面部２２ｂ２の角部領域Ｗ２を表側から目視したときも同様である。
【００５５】
なお、支持部材３０内の屈折率をｎ１、空気の屈折率を１としたときの、臨界角θｃは、θｃ＝ａｒｃｓｉｎ（１／ｎ１）である。
【００５６】
以上から、光源４１が点灯し、光拡散層である支持部材３０が白く発光している状態で、操作部材２０を表側から見ると、図９に示すように、表示板２３の図形や文字が白く光るように照明される。さらに、外側斜面部２２ｂを目視すると中間領域Ｗ１では裏側に位置する光拡散層が見え、光拡散層による白色の照明が見えるようになる。また角部領域Ｗ２では、内側斜面部２６ｂが全反射して鏡面として見えるようになり、操作部材２０の角部がクリスタル感のある照明効果を実現できる。
【００５７】
なお、本実施の形態では、外側凸部２２の正面部２２ａと内側凹部２６の裏面部２６ａがともに矩形である場合を例に挙げたが、これに限られるものではなく、矩形以外の多角形であってもよい。また、正面部２２ａと裏面部２６ａの形状が異なっていてもよい。
【００５８】
また、本実施の形態では、光源４１を点灯したときの表示状態を説明したが、光源４１が点灯していない状態であっても、角部領域Ｗ２では、外部の光が第１内側斜面部２６ｂ１や第２の内側斜面部２６ｂ２で全反射して、角部領域Ｗ２にクリスタルのような輝きを生じさせることが可能である。
【符号の説明】
【００５９】
１０      操作装置
１１      ケース
１１ａ    操作穴
２０      操作部材
２０ａ    正面
２０ｂ    裏面
２０ｃ    側面
２１      凹部
２２      外側凸部
２２ａ    正面部
２２ｂ    外側斜面部
２２ｂ１  第１外側斜面部
２２ｂ２  第２外側斜面部
２２ｃ１  外側角部
２３      表示板
２３      表示面
２４      フランジ部
２４ａ    係合突起
２４ｂ    係合爪
２６      内側凹部
２６ａ    裏面部
２６ｂ    内側斜面部
２６ｂ１  第１内側斜面部
２６ｂ２  第２内側斜面部
３０      支持部材
３０ａ    正面
３０ｂ    裏面
３１    凹部
３２ａ、３２ｂ    係合穴
３３ａ、３３ｂ    延出部
３６      押圧突起
４０      基板
４１      光源
４２      スイッチ機能部
５１      外側境界線
５２      内側境界線
Ｗ１      中間領域
Ｗ２      角部領域
Ｆ      押圧力
Φ１、Φ２      入射角
θ１、θ２      傾斜角度
【図１】
0006433374.tif 000002
【図２】
0006433374.tif 000003
【図３】
0006433374.tif 000004
【図４】
0006433374.tif 000005
【図５】
0006433374.tif 000006
【図６】
0006433374.tif 000007
【図７】
0006433374.tif 000008
【図８】
0006433374.tif 000009
【図９】
0006433374.tif 000010